(57)【要約】【課題】種々の物品を保管する保管空間において未だ着目されてない新たな環境要素を改善することで、物品を好適に保管することができる保管容器を提供する。【解決手段】種々の物品４０を収容して保管する容器本体２０と、該容器本体２０の内部の保管空間２１に磁界を形成する磁界形成手段３０とを備える。なお、植物が植えられた鉢植えまたは植物が挿された花瓶から構成された植生品４１を収容して保管する植生品用保管容器としてもよい。また、飲食物４２を収容して保管する飲食物用保管容器としてもよい。さらに、化粧品４３を収容して保管する化粧品用保管容器としてもよい。【選択図】図１
2005335722.tif 000002
【特許請求の範囲】
【請求項１】
種々の物品を収容して保管する容器本体と、
該容器本体の内部の保管空間に磁界を形成する磁界形成手段と
を備えることを特徴とする保管容器。
【請求項２】
植物が植えられた鉢植えまたは植物が挿された花瓶から構成された植生品を収容して保管する植生品用保管容器であることを特徴とする請求項１に記載の保管容器。
【請求項３】
飲食物を収容して保管する飲食物用保管容器であることを特徴とする請求項１に記載の保管容器。
【請求項４】
化粧品を収容して保管する化粧品用保管容器であることを特徴とする請求項１に記載の保管容器。
【発明の詳細な説明】
【技術分野】
【０００１】
本発明は、保管容器に関するものであり、詳しくは、種々の物品を収容して保管する保管容器に関するものである。
【背景技術】
【０００２】
種々の物品を収容して保管する保管容器としては、「鉢植えの受け皿や複数の鉢植えをまとめて収容する鉢植えケース等、植物が植えられた鉢植えや植物が挿された花瓶を収容して保管する植物用保管容器」、「冷蔵庫や保冷庫等、飲料品や食料品といった飲食物を収容して保管する飲食物保管容器」、「メイクキャップケース等、化粧品を収容して保管する化粧品用保管容器」等、種々のものがある。
【０００３】
上記背景技術は、一般的になされている事項であり、本願出願人は、出願時において、この背景技術を特定するような記載がなされた文献を特に知見していない。
【発明の開示】
【発明が解決しようとする課題】
【０００４】
しかしながら、従来の保管容器は、物品を単に収容して保管するだけのものが一般的である。また、保管容器としては、冷蔵庫等も含まれるが、冷蔵庫等の保管容器であっても、物品を保管する保管空間の温度を調節して飲食物の鮮度を維持できるに過ぎないものである。すなわち、従来の保管容器は、物品を単に収容して保管するか、或いは、保管空間の環境要素としての温度を調節して物品を保管するに止まるものであった。
【０００５】
本発明は、上記実状を鑑みてなされたものであり、種々の物品を保管する保管空間において未だ着目されてない新たな環境要素を改善することで、物品を好適に保管することができる保管容器の提供を課題とするものである。
【課題を解決するための手段】
【０００６】
上述した課題を解決するために本発明の採った手段は、
「種々の物品を収容して保管する容器本体と、
該容器本体の内部の保管空間に磁界を形成する磁界形成手段と
を備えることを特徴とする保管容器」
である。
【０００７】
上記構成の保管容器では、保管空間について、磁界形成手段によって磁界が形成される。
【０００８】
ここで、磁界によって生物の細胞が活性化することは知られている。よって、上記構成の保管容器によれば、生物を保管する場合に、生物を活発に活動する状態で保管することができる。例えば、鉢植えや切花等の植物を、鉢植えに植えられた状態であれば、成長を促進する状態で保管することができ、花瓶に挿された状態であれば、長期間、枯れることなく、活き活きとした状態で保管することができる。
【０００９】
また、水の粒子（分子の集合体）は、磁界を通すことによって微細化されることは知られている。例えば、通常の水の粒子は、１５個程度の分子の集合体であるが、１２５ｍＴ（ミリテスラ）（１２５０Ｇｓ（ガウス））の磁界を通して磁界処理することで、５個程度の分子の集合体に微細化される。よって、飲料水や化粧剤等の水分を含んだ保管対象物を、適宜の容器に入れ、容器ごと上記構成の保管容器に収容して保管すれば、保管するだけで、飲料水であれば、水の粒子が微細化されて体に吸収され易い飲料水とすることができ、化粧剤であれば、含有する水分が微細化されて肌に馴染み易い化粧剤とすることができる。
【００１０】
なお、磁界により微細化された水の粒子は、磁界の磁力から開放されると、元の粗い粒子に戻ってしまう。例えば、磁界処理によって５個程度の分子の集合体に微細化された水の粒子は、２４時間で７〜８個程度の分子の集合体となり、４８時間で元の状態である１５個程度の分子の集合体となってしまう。これに対して、既に磁界処理された飲料水や化粧剤を上記構成の保管容器により保管することとすれば、水の粒子が微細化された状態で良好に維持させることができる。
【００１１】
ところで、磁界によって雑菌を減菌或いは滅菌できることも知られている（例えば、特開平１−２５７４７３号公報）。よって、上記構成の保管容器では、保管の対象となる物品が飲料品や食料品等の飲食物である場合に、雑菌の繁殖が抑制される。このため、上記構成の保管容器によれば、飲食物を、鮮度を良好に維持した状態で保管することができる。
【００１２】
このように、上記構成の保管容器によれば、種々の物品を保管する保管空間において、未だ着目されてない「磁界」といった新たな保管環境の要素を改善することができ、種々の物品に応じて、磁界の種々の作用による新たな機能を付与した状態で、物品を好適に保管することができる。
【００１３】
また、
「植物が植えられた鉢植えまたは植物が挿された花瓶から構成された植生品を収容して保管する植生品用保管容器であることを特徴とする請求項１に記載の保管容器」
である。
【００１４】
上記構成の保管容器は、保管対象を「植物が植えられた鉢植えまたは植物が挿された花瓶から構成された植生品」に特定したものであり、上述の通り、植物を、成長を促進する状態、または、長期間、枯れることなく、活き活きとした状態で、保管することができる。
【００１５】
また、
「飲食物を収容して保管する飲食物保管容器であることを特徴とする請求項１に記載の保管容器」
である。
【００１６】
上記構成の保管容器は、保管対象を「飲食物」に特定したものであり、上述の通り、飲食物を、鮮度を良好に維持した状態で保管することができる。特に、飲料水を保管する場合には、保管するだけで、水の粒子が微細化されて体に吸収され易い飲料水とすることができる。なお、飲料水を保管する場合には、コップやビン等の適宜の飲料容器に入れて、飲料容器ごと保管容器に収容して保管すればよい。
【００１７】
また、
「化粧品を収容して保管する化粧品用保管容器であることを特徴とする請求項１に記載の保管容器」
である。
【００１８】
上記構成の保管容器は、保管対象を「化粧品」に特定したものであり、上述の通り、収容して保管するだけで、化粧品の化粧剤を、含有する水の粒子が微細化されて肌に馴染み易い化粧剤とすることができる。
【発明の効果】
【００１９】
上述した通り、本発明に係る保管容器によれば、種々の物品を保管する保管空間において未だ着目されてない新たな環境要素を改善することで、物品を好適に保管することができる。
【発明を実施するための最良の形態】
【００２０】
以下、本発明の一実施形態である保管容器について、図面に基づいて詳細に説明する。
【００２１】
図１に、保管容器１０の一例を示す。この保管容器１０は、植生品４１、飲食物４２、化粧品４３等、種々の物品４０を収容して保管する箱状に形成された容器本体２０を備えている。ここで、植生品４１は、植物が植えられた鉢植え、または、切花等の植物が挿された花瓶であり、これら鉢植えや花瓶を容器本体２０に収容することで、植物を、鉢に植えた状態や花瓶に挿した状態で保管することができる。また、飲食物４２は、飲料品や食料品である。そして、飲料品は、水、お茶、ジュース等の飲料水をコップ、ビン、ペットボトル、紙パック等の適宜の飲料容器に入れたものであり、食料品は、肉や野菜等の食材を、パック等の食材容器に詰めたり、ラップ等の包装材によって包装したり、或いは、食材容器に詰めたり包装材によ包装せず、そのまま剥き出し状態としたものである。さらに、化粧品４３は、化粧水やファンデーション等の化粧剤をビン等の適宜の化粧剤容器に入れたものである。
【００２２】
このような容器本体２０を有する保管容器１０は、鉢や花瓶、飲料容器、食材容器、化粧剤容器等の適宜の容器に入れられた植物、飲料水、食材、化粧剤等の保管対象物を、容器ごと容器本体２０に収容し、これにより、保管対象物を保管することができるものであり、利便性に優れるものである。
【００２３】
また、保管容器１０は、容器本体２０の内部空間、すなわち、物品４０の保管空間２１に磁界を形成する磁界形成手段３０を備えている。ここで、磁界形成手段３０としては、容器本体２０の側面全体に巻回された電磁コイルを用いたもの、容器本体２０の底部に配設された電磁コイルを用いたもの、容器本体２０の側部や底部等の適宜箇所の適宜位置に設けられた永久磁石を用いたもの等、適宜の構造を採用することができる。また、磁界形成手段３０は、容器本体２０に内蔵されたものであってもよく、或いは、容器本体２０の内面や外面に装着されたものであってもよい。
【００２４】
このように容器本体２０内の保管空間２１に磁界を形成することで、種々の物品４０を、物品４０の種類に応じて、磁界の種々の作用による新たな機能を付与した状態で、好適に保管することができる。
【００２５】
例えば、保管する物品４０が、植生品４１であれば、保管空間２１の磁界作用によって、植物を、成長を促進する状態、或いは、長期間、枯れることなく、活き活きとした状態で、保管することができる。このように植生品４１を保管する保管容器１０は、植生品用容器となる。なお、植生品用保管容器では、容器本体２０を、箱状に形成するに限らず、鉢植えの受け皿等のように、皿状に形成することもできる。
【００２６】
また、保管する物品４０が、飲料品であれば、保管空間２１の磁界作用によって、飲料水を、水の粒子が微細化されて体に吸収され易い飲料水に変化させることができる。一方、保管する物品４０が、飲料品の他、肉、魚、野菜等の生鮮食品等の食料品を含めた飲食物４２であれば、保管空間２１の磁界作用によって、雑菌の繁殖を抑制することができ、飲食物４２を、鮮度を良好に維持した状態で保管することができる。このように飲食物４２を保管する保管容器１０は、飲食物用保管容器となる。なお、飲食物保管容器を、冷蔵庫や保冷庫、或いは、床下収納庫等の食品庫としてもよく、また、生鮮食品を搬送するためのトロ箱等の搬送箱としてもよい。
【００２７】
また、保管する物品４０が、化粧品４３であれば、保管空間２１の磁界作用によって、化粧剤に含有された水の粒子を微細化することができ、化粧剤を、肌に馴染み易い化粧剤に変化させることができる。このように化粧品４３を保管する保管容器１０は、化粧品用保管容器となる。
【００２８】
その他、この保管容器１０によれば、既に磁界処理されて水の粒子が微細化された飲料水や化粧剤を保管する際において、保管空間２１の磁界作用によって、粒子が微細化された水の状態を良好に維持しつつ、保管することができる。
【００２９】
次に、磁界形成手段３０の詳細を説明する。磁界形成手段３０を、電磁コイルを用いて構成してもよく、永久磁石を用いて構成してもよいことは上述した通りであるが、さらに、電磁コイルを用いて構成する場合には、直流電流によって磁界を形成するようにしてもよく、或いは、交流電流によって磁界を形成するようにしてもよい。ここで、交流電流によって磁界を形成することとすると、交流電流の振動数に応じて磁力線の方向が変動する。このため、磁力線の方向の絶え間ない変動によっても、動植物の成長を促進することができる。また、磁力線の方向が変動するように電流の方向を切り換える時間間隔を、秒単位、分単位、或いは、時間単位で任意に調節できるようにしてもよい。
【００３０】
また、電磁コイルを鉛直方向の軸線周りに巻回されたものとすれば、磁力線が鉛直方向の磁界を形成することができる。また、電磁コイルを水平方向の軸線周りに巻回されたものとすれば、磁力線が水平方向の磁界を形成することができる。ここで、磁界形成手段３０としては、磁力線が鉛直方向の磁界を形成するもの、或いは、磁力線が水平方向の磁界を形成するもののうち、一方であってもよいが、双方を兼ね備えたものであってもよい。磁力線が鉛直方向の磁界を形成する電磁コイルと、磁力線が水平方向の磁界を形成する電磁コイルとを併用する態様では、夫々の電磁コイルの通電量を個別に調節できるようにすることが好適である。磁力線方向及び磁力が異なる磁界を合成することで、多様な磁界形態を実現することができるからである。
【００３１】
ところで、磁界形成手段３０により形成する磁界の磁力が強過ぎると、植物等の生物の成長や生命維持に支障を来たす虞がある。一方、磁力が弱過ぎると、水の粒子の微細化や雑菌の減菌化または滅菌化を良好に行うことができなくなる。よって、磁界形成手段３０によって形成される保管空間２１の磁界の磁力については、保管対象の物品４０の種類に応じて適宜設定すればよい。具体的に、植物等の生物を保管対象とする場合には、磁力を、１００ｍＴ（ミリテスラ）（１０００Ｇｓ（ガウス））以下、好ましくは５０ｍＴ（ミリテスラ）（５００Ｇｓ（ガウス））以下、より好ましくは１０ｍＴ（ミリテスラ）（１００Ｇｓ（ガウス））以下、さらに好ましくは１ｍＴ（ミリテスラ）（１０Ｇｓ（ガウス））以下に設定すればよい。一方、飲食物や化粧品等、生物の存命に関しないものを保管対象とする場合には、磁力を、１００ｍＴ（ミリテスラ）（１０００Ｇｓ（ガウス））以上、好ましくは２００ｍＴ（ミリテスラ）（２０００Ｇｓ（ガウス））以上、より好ましくは３００ｍＴ（ミリテスラ）（３０００Ｇｓ（ガウス））以上、さらに好ましくは５００ｍＴ（ミリテスラ）（５０００Ｇｓ（ガウス））以上に設定すればよい。ここで、磁界形成手段３０を、電磁コイルを用いて構成し、磁力を任意に調節できるようにすると、保管対象の物品４０の種類や、保管に際して付与したい磁界作用に応じて、保管空間２１に形成される磁界の磁力を変更できることから、好適である。
【００３２】
以上、本発明に係る保管容器の実施形態を説明したが、本発明に係る保管容器はこれに限らず、本発明の要旨を逸脱しない範囲で、適宜の変更が可能である。
【００３３】
例えば、容器本体を、持ち運び可能なケース状のものとしてもよく、或いは、冷蔵庫等のように、適宜の設置面に常設されるものとしてもよい。ここで、発明に係る保管容器は、鉢や花瓶、飲料容器、食材容器、化粧剤容器等の適宜の容器に入れられた植物、飲料水、食材、化粧剤等の保管対象物を、容器ごと容器本体に収容することで、保管対象物を保管すると共に、保管対象物に適宜の磁界作用を付与することができ、そもそも、利便性に優れるものである。これに加えて、容器本体を持ち運び可能とすれば、適宜箇所に配置して様々な物品の保管を行うことができることとなり、利便性をさらに向上させることができる。
【００３４】
また、図２に示すように、容器本体１０に、外側や内側に屈曲するフック等の掛け具２２を設け、この掛け具２２を用い、保管容器１０を、温室内や保管倉庫内等の適宜の領域に吊り下げた状態で設置できるようにしてもよい。なお、図２に示す例では、上述の例を同様な構成について同一の符号を付すことで、詳細な説明を省略する。さらに、図示は省略するが、保管容器が、容器本体内部の保管空間を隠蔽する蓋体を有するものである場合には、この蓋体に磁界形成手段を設けてもよい。
【図面の簡単な説明】
【００３５】
【図１】本発明に係る保管容器の一例を示す斜視図である。
【図２】本発明に係る保管容器の別例を示す縦断面側面図である。
【符号の説明】
【００３６】
１０  保管容器
２０  容器本体
２１  保管空間
２２  掛け具
３０  磁界形成手段
４０  物品
４１  植生品
４２  飲食物
４３  化粧品
【図１】
2005335722.tif 000003
【図２】
2005335722.tif 000004